(57)【要約】【課題】机上の作業スペースの減少を最小限に抑えるとともに、保管された必要なドキュメントを簡単に取り出す。【解決手段】底面部２１、左右の側面部および背面部２２からなる枠体２と、枠体２の底面部２１の前端縁にそれぞれ回動自在に連結され、少なくとも上面を開口して短手方向を奥行き方向に向けて左右方向に並設された複数個のケース３と、各ケース３に対応して枠体２の背面部２２にそれぞれ回動自在に連結され、各ケース３の後端側上端縁がそれぞれ摺動自在に係合された複数個のストッパ４とから構成される。そして、ケース３を引き出すことによって回動させた際、ケース３の後端側上端縁をストッパ４に係合させて前端に当接まで摺動させる。【選択図】図３
2005192748.tif 000002
【特許請求の範囲】
【請求項１】
底面部、背面部および左右の側面部からなる枠体と、枠体の底面部の前端縁にそれぞれ回動自在に連結され、少なくとも上面を開口して短手方向を奥行き方向に向けて左右方向に並設された複数個のケースと、各ケースに対応して枠体の背面部にそれぞれ回動自在に連結され、各ケースの後端側上端縁がそれぞれ摺動自在に係合された複数個のストッパと、からなり、ケースの引き出しに伴う回動時にケースの後端側上端縁がストッパに係合しつつ前端まで摺動することを特徴とするドキュメントスタンド。
【発明の詳細な説明】
【技術分野】
【０００１】
本発明は、事務机の上などに配置されてドキュメントを保管するドキュメントスタンドに関するものである。
【背景技術】
【０００２】
従来より、ドキュメントの保管には、枠体に複数個の引き出しを摺動自在に設けたレターケース（図４参照）や、前面および上面を開放したファイルボックス（図５参照）が市販されている。
【発明の開示】
【発明が解決しようとする課題】
【０００３】
ところで、前述したレターケースにおいては、机上の奥行き方向にドキュメントの長手方向を向けて保管することから、机上の奥行き方向の多くを占有することになり、机上の作業スペースを減少させるという問題があった。また、引き出しをいかに薄くしたとしても、ドキュメントを上下に重ねて保管することになり、下方に収容されたドキュメントを取り出すためには、その上方に重ねられたドキュメントを取り除く必要があり、探しにくく、作業効率が低下するという欠点があった。
【０００４】
一方、ファイルボックスにおいては、多量のドキュメントを一括して保管する場合はよいが、ドキュメントを頻繁に出し入れするような場合には、いちいちドキュメントを取り出して探す必要があり、レターケースと同様に、作業効率が低下するものとなる。また、薄いドキュメントを直接ファイルボックスに収容した場合、ドキュメントは自立しないため、腰折れして保管性がよくないという欠点があった。
【０００５】
本発明は、このような問題点に鑑みてなされたもので、机上の作業スペースの減少を最小限に抑えるとともに、保管された必要なドキュメントを簡単に取り出すことのできるドキュメントスタンドを提供するものである。
【課題を解決するための手段】
【０００６】
本発明は、底面部、背面部および左右の側面部からなる枠体と、枠体の底面部の前端縁にそれぞれ回動自在に連結され、少なくとも上面を開口して短手方向を奥行き方向に向けて左右方向に並設された複数個のケースと、各ケースに対応して枠体の背面部にそれぞれ回動自在に連結され、各ケースの後端側上端縁がそれぞれ摺動自在に係合された複数個のストッパと、からなり、ケースの引き出しに伴う回動時にケースの後端側上端縁がストッパに係合しつつ前端まで摺動することを特徴とするものである。
【０００７】
本発明によれば、各ケースにドキュメントをそれぞれ収容して保管することができる。この場合、ケースは、短手方向を奥行き方向に向けて左右方向に並設されているため、机上の奥行き方向の作業スペースの減少を最小限に抑えることができ、また、目的とするケースのみを引き出して回動させることができるため、必要なドキュメントを簡単に取り出すことができる。
【発明の効果】
【０００８】
本発明によれば、机上の作業スペースの減少を最小限に抑えるとともに、保管された必要なドキュメントを簡単に取り出すことができる。
【発明を実施するための最良の形態】
【０００９】
以下、本発明の実施の形態を図面を参照して説明する。
【００１０】
図１乃至図３には、本発明のドキュメントスタンド１の一実施形態が示されている。
【００１１】
このドキュメントスタンド１は、枠体２と、枠体２に対して回動自在に連結された複数個のケース３と、各ケース３に対応して枠体２に回動自在に連結された複数個のストッパ４と、から構成されている。
【００１２】
枠体２は、底面部２１と、底面部２１の後端縁に立設された背面部２２と、底面部２１の左右各側縁にそれぞれ立設された側面部２３と、からなり、左右の側面部２３間に、ケース３を複数個並設できるように設定されている。
【００１３】
ケース３は、底面、左右の側面、前面および背面によって上面が開口された浅い箱状に形成され、左側面には、切欠部３ａが形成されている。そして、各ケース３は、短手方向を奥行き方向に向けた状態で、それぞれ前面の下端縁が枠体２の底面部２１の前端縁に回動自在に連結されている。また、ケース３の背面は、前面よりも若干高く形成され、その上端縁がストッパ４に摺動自在に係合されている。
【００１４】
なお、ケース３は、本実施形態においては、Ａ４サイズのドキュメントを収容して保管できるように大きさが設定されており、Ａ４サイズのドキュメントをその長手方向を上下方向に向けて、上面開口部を通して収容することができる。この場合、ケース３の前面下部には、収容するドキュメントを表示するネームタグが設けられている。
【００１５】
また、ケース３の厚みとしては、単独の薄いドキュメントが自立する程度に薄く形成することが好ましい。
【００１６】
ストッパ４は、断面弓形状に形成されて、枠体２の底面部２１の奥行きに略相当する長さを有している。そして、各ストッパ４は、対応するケース３の背面側上端縁が係合した状態で、ほぼ前後方向に向けて略水平に延設され、後面の下端縁が枠体２の背面部２２の上端縁にそれぞれ回動自在に連結されている。
【００１７】
なお、ストッパ４の前端は閉鎖されて、ケース３の背面側上端縁がストッパ３の前端縁から離脱することが防止されている。
【００１８】
このように構成されたドキュメントスタンド１は、事務机の上面に配置されて使用される。この場合、ドキュメントスタンド１のケース３は、その短手方向が奥行き方向に向けて設けられているため、机上の奥行き方向の作業スペースに対する専有面積を最小限に抑えることができる。そして、ドキュメントスタンド１のケース３にドキュメントを収容し、保管するには、ケース３の前面側上端縁に指をかけ、手前側に引き出せば、ケース３は、その前面側下端縁を中心として回動し、前傾する（図２鎖線位置参照）。この際、ケース３の背面側上端縁は、ストッパ３に係合して摺動する。そして、ケース３の回動に伴う高さの増加は、ストッパ４をその後端を中心として上方に持ち上げて回動させることによって吸収することができる。
【００１９】
ケース３の背面側上端縁がストッパ３の前端に到達すれば、それ以上の摺動が規制されることから、例えば、Ａ４サイズのドキュメントを長手方向を上下方向に向けて、ケース３にその上面開口部を通して収容することができる。ケース３にドキュメントを収容したならば、ケース３を押し込むことにより、ケース３の背面側上端縁がストッパ４に沿って摺動しつつ後方に向けて回動し、枠体２の底面部２１に載置される。
【００２０】
一方、ケース３に収容されたドキュメントを取り出すには、必要とするケース３の前面側上端縁に指をかけ、手前側に引き出せば、ケース３は、その前面側下端縁を中心として回動し、前傾することから、切欠部３ａを通して内容を確認した後、所望のドキュメントを上面開口部から引き出せばよい。この場合、ケース３のネームタグに収容保管するドキュメントの名称や種類あるいは分類などを表記することにより、目的のドキュメントを速やかに取り出すことができる。
【００２１】
このように、散らかりがちな少量のドキュメントを効率よく分類整理して保管することができるとともに、必要時には簡単に取り出すことができる。
【産業上の利用可能性】
【００２２】
以上説明したように、本発明のドキュメントスタンドは、机上の作業スペースの減少を最小限に抑えるとともに、ドキュメントを効率よく保管する一方、必要なドキュメントを簡単に取り出すことが可能となり、ドキュメントのファイリングに寄与することができる。
【図面の簡単な説明】
【００２３】
【図１】本発明のドキュメントスタンドの一実施形態を示す正面図である。
【図２】図１のドキュメントスタンドの側面図である。
【図３】図１のドキュメントスタンドを一部省略して示す斜視図である。
【図４】従来のレターケースを示す斜視図である。
【図５】従来のファイルボックスを示す斜視図である。
【符号の説明】
【００２４】
１  ドキュメントスタンド
２  枠体
３  ケース
４  ストッパ
【図１】
2005192748.tif 000003
【図２】
2005192748.tif 000004
【図３】
2005192748.tif 000005
【図４】
2005192748.tif 000006
【図５】
2005192748.tif 000007